【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
ＥＰＤＣＣＨ（Enhanced Physical Downlink Control CHannel）を用いて基地局装置と通信を行う端末装置であって、
Ｌｏｃａｌｉｚｅｄ  ＥＰＤＣＣＨを受信する処理において、
ＥＰＤＣＣＨの信号が配置されるＥＣＣＥ（Enhanced Control Channel Element）の番号と、前記基地局装置から送信されたＲＲＣ（Radio Resource Control）シグナリングとに基づき、前記ＥＣＣＥに配置される信号の復調に用いるアンテナポートを設定する制御部を有することを特徴とする端末装置。
【請求項２】
１つのＰＲＢ  ｐａｉｒ（Physical Resource Block pair）を分割したリソースを用いて第一のＥＣＣＥ、第二のＥＣＣＥ、第三のＥＣＣＥ、第四のＥＣＣＥが構成され、
前記第一のＥＣＣＥ、前記第二のＥＣＣＥ、前記第三のＥＣＣＥ、及び前記第四のＥＣＣＥのそれぞれの番号が連続であり、
前記第一のＥＣＣＥと前記第二のＥＣＣＥとに配置された信号の復調に第一のアンテナポート、または第二のアンテナポートに対応する参照信号が用いられ、
前記第三のＥＣＣＥと前記第四のＥＣＣＥとに配置された信号の復調に第三のアンテナポート、または第四のアンテナポートに対応する参照信号が用いられ、
前記制御部は、前記第一のＥＣＣＥと前記第二のＥＣＣＥとに配置された信号の復調に前記第一のアンテナポートに対応する参照信号を用いるか、前記第二のアンテナポートに対応する参照信号を用いるかをＲＲＣシグナリングに基づき設定し、前記第三のＥＣＣＥと前記第四のＥＣＣＥとに配置された信号の復調に前記第三のアンテナポートに対応する参照信号を用いるか、前記第四のアンテナポートに対応する参照信号を用いるかを前記ＲＲＣシグナリングに基づき設定することを特徴とする請求項１に記載の端末装置。
【請求項３】
前記第一のＥＣＣＥと前記第二のＥＣＣＥとに配置された信号の復調に用いられる参照信号のアンテナポートとして前記第一のアンテナポートが関連付けられるＲＲＣシグナリングは、前記第三のＥＣＣＥと前記第四のＥＣＣＥとに配置された信号の復調に用いられる参照信号のアンテナポートとして前記第三のアンテナポートが関連付けられ、
前記第一のＥＣＣＥと前記第二のＥＣＣＥとに配置された信号の復調に用いられる参照信号のアンテナポートとして前記第二のアンテナポートが関連付けられるＲＲＣシグナリングは、前記第三のＥＣＣＥと前記第四のＥＣＣＥとに配置された信号の復調に用いられる参照信号のアンテナポートとして前記第四のアンテナポートが関連付けられることを特徴とする請求項２に記載の端末装置。
【請求項４】
ＥＰＤＣＣＨ（Enhanced Physical Downlink Control CHannel）を用いて端末装置と通信を行う基地局装置であって、
Ｌｏｃａｌｉｚｅｄ  ＥＰＤＣＣＨを送信する処理において、
ＥＰＤＣＣＨの信号が配置されるＥＣＣＥ（Enhanced Control Channel Element）の番号と、端末装置に通知したＲＲＣ（Radio Resource Control）シグナリングとに基づき、前記ＥＣＣＥに配置される信号の送信に用いるアンテナポートを設定する無線リソース制御部を有することを特徴とする基地局装置。
【請求項５】
１つのＰＲＢ  ｐａｉｒ（Physical Resource Block pair）を分割したリソースを用いて第一のＥＣＣＥ、第二のＥＣＣＥ、第三のＥＣＣＥ、第四のＥＣＣＥが構成され、
前記第一のＥＣＣＥ、前記第二のＥＣＣＥ、前記第三のＥＣＣＥ、及び前記第四のＥＣＣＥのそれぞれの番号が連続であり、
前記第一のＥＣＣＥと前記第二のＥＣＣＥとに配置される信号の送信に第一のアンテナポート、または第二のアンテナポートが用いられ、
前記第三のＥＣＣＥと前記第四のＥＣＣＥとに配置される信号の送信に第三のアンテナポート、または第四のアンテナポートが用いられ、
前記無線リソース制御部は、前記第一のＥＣＣＥと前記第二のＥＣＣＥとに配置される信号の送信に前記第一のアンテナポートを用いるか、前記第二のアンテナポートを用いるかをＲＲＣシグナリングに基づき設定し、前記第三のＥＣＣＥと前記第四のＥＣＣＥとに配置される信号の送信に前記第三のアンテナポートを用いるか、前記第四のアンテナポートを用いるかを前記ＲＲＣシグナリングに基づき設定することを特徴とする請求項４に記載の基地局装置。
【請求項６】
前記第一のＥＣＣＥと前記第二のＥＣＣＥとに配置される信号の送信に用いられるアンテナポートとして前記第一のアンテナポートが関連付けられるＲＲＣシグナリングは、前記第三のＥＣＣＥと前記第四のＥＣＣＥとに配置される信号の送信に用いられるアンテナポートとして前記第三のアンテナポートが関連付けられ、
前記第一のＥＣＣＥと前記第二のＥＣＣＥとに配置される信号の送信に用いられるアンテナポートとして前記第二のアンテナポートが関連付けられるＲＲＣシグナリングは、前記第三のＥＣＣＥと前記第四のＥＣＣＥとに配置される信号の送信に用いられるアンテナポートとして前記第四のアンテナポートが関連付けられることを特徴とする請求項５に記載の基地局装置。
【請求項７】
ＥＰＤＣＣＨ（Enhanced Physical Downlink Control CHannel）を用いて基地局装置と通信を行う端末装置の通信方法であって、
Ｌｏｃａｌｉｚｅｄ  ＥＰＤＣＣＨを受信する処理において、
ＥＰＤＣＣＨの信号が配置されるＥＣＣＥ（Enhanced Control Channel Element）の番号と、前記基地局装置から送信されたＲＲＣ（Radio Resource Control）シグナリングとに基づき、前記ＥＣＣＥに配置される信号の復調に用いるアンテナポートを設定することを特徴とする通信方法。
【請求項８】
１つのＰＲＢ  ｐａｉｒ（Physical Resource Block pair）を分割したリソースを用いて第一のＥＣＣＥ、第二のＥＣＣＥ、第三のＥＣＣＥ、第四のＥＣＣＥが構成され、
前記第一のＥＣＣＥ、前記第二のＥＣＣＥ、前記第三のＥＣＣＥ、及び前記第四のＥＣＣＥのそれぞれの番号が連続であり、
前記第一のＥＣＣＥと前記第二のＥＣＣＥとに配置された信号の復調に第一のアンテナポート、または第二のアンテナポートに対応する参照信号が用いられ、
前記第三のＥＣＣＥと前記第四のＥＣＣＥとに配置された信号の復調に第三のアンテナポート、または第四のアンテナポートに対応する参照信号が用いられ、
前記端末装置は、前記第一のＥＣＣＥと前記第二のＥＣＣＥとに配置された信号の復調に前記第一のアンテナポートに対応する参照信号を用いるか、前記第二のアンテナポートに対応する参照信号を用いるかをＲＲＣシグナリングに基づき設定し、前記第三のＥＣＣＥと前記第四のＥＣＣＥとに配置された信号の復調に前記第三のアンテナポートに対応する参照信号を用いるか、前記第四のアンテナポートに対応する参照信号を用いるかを前記ＲＲＣシグナリングに基づき設定することを特徴とする請求項７に記載の通信方法。
【請求項９】
前記第一のＥＣＣＥと前記第二のＥＣＣＥとに配置された信号の復調に用いられる参照信号のアンテナポートとして前記第一のアンテナポートが関連付けられるＲＲＣシグナリングは、前記第三のＥＣＣＥと前記第四のＥＣＣＥとに配置された信号の復調に用いられる参照信号のアンテナポートとして前記第三のアンテナポートが関連付けられ、
前記第一のＥＣＣＥと前記第二のＥＣＣＥとに配置された信号の復調に用いられる参照信号のアンテナポートとして前記第二のアンテナポートが関連付けられるＲＲＣシグナリングは、前記第三のＥＣＣＥと前記第四のＥＣＣＥとに配置された信号の復調に用いられる参照信号のアンテナポートとして前記第四のアンテナポートが関連付けられることを特徴とする請求項８に記載の通信方法。
【請求項１０】
ＥＰＤＣＣＨ（Enhanced Physical Downlink Control CHannel）を用いて端末装置と通信を行う基地局装置の通信方法であって、
Ｌｏｃａｌｉｚｅｄ  ＥＰＤＣＣＨを送信する処理において、
ＥＰＤＣＣＨの信号が配置されるＥＣＣＥ（Enhanced Control Channel Element）の番号と、端末装置に通知したＲＲＣ（Radio Resource Control）シグナリングとに基づき、前記ＥＣＣＥに配置される信号の送信に用いるアンテナポートを設定することを特徴とする通信方法。
【請求項１１】
１つのＰＲＢ  ｐａｉｒ（Physical Resource Block pair）を分割したリソースを用いて第一のＥＣＣＥ、第二のＥＣＣＥ、第三のＥＣＣＥ、第四のＥＣＣＥが構成され、
前記第一のＥＣＣＥ、前記第二のＥＣＣＥ、前記第三のＥＣＣＥ、及び前記第四のＥＣＣＥのそれぞれの番号が連続であり、
前記第一のＥＣＣＥと前記第二のＥＣＣＥとに配置される信号の送信に第一のアンテナポート、または第二のアンテナポートが用いられ、
前記第三のＥＣＣＥと前記第四のＥＣＣＥとに配置される信号の送信に第三のアンテナポート、または第四のアンテナポートが用いられ、
前記基地局装置は、前記第一のＥＣＣＥと前記第二のＥＣＣＥとに配置される信号の送信に前記第一のアンテナポートを用いるか、前記第二のアンテナポートを用いるかをＲＲＣシグナリングに基づき設定し、前記第三のＥＣＣＥと前記第四のＥＣＣＥとに配置される信号の送信に前記第三のアンテナポートを用いるか、前記第四のアンテナポートを用いるかを前記ＲＲＣシグナリングに基づき設定することを特徴とする請求項１０に記載の通信方法。
【請求項１２】
前記第一のＥＣＣＥと前記第二のＥＣＣＥとに配置される信号の送信に用いられるアンテナポートとして前記第一のアンテナポートが関連付けられるＲＲＣシグナリングは、前記第三のＥＣＣＥと前記第四のＥＣＣＥとに配置される信号の送信に用いられるアンテナポートとして前記第三のアンテナポートが関連付けられ、
前記第一のＥＣＣＥと前記第二のＥＣＣＥとに配置される信号の送信に用いられるアンテナポートとして前記第二のアンテナポートが関連付けられるＲＲＣシグナリングは、前記第三のＥＣＣＥと前記第四のＥＣＣＥとに配置される信号の送信に用いられるアンテナポートとして前記第四のアンテナポートが関連付けられることを特徴とする請求項１１に記載の通信方法。
【請求項１３】
ＥＰＤＣＣＨ（Enhanced Physical Downlink Control CHannel）を用いて基地局装置と通信を行う端末装置に実装される集積回路であって、
Ｌｏｃａｌｉｚｅｄ  ＥＰＤＣＣＨを受信する処理において、
ＥＰＤＣＣＨの信号が配置されるＥＣＣＥ（Enhanced Control Channel Element）の番号と、前記基地局装置から送信されたＲＲＣ（Radio Resource Control）シグナリングとに基づき、前記ＥＣＣＥに配置される信号の復調に用いるアンテナポートを設定する機能を含む一連の機能を前記端末装置に発揮させることを特徴とする集積回路。
【請求項１４】
１つのＰＲＢ  ｐａｉｒ（Physical Resource Block pair）を分割したリソースを用いて第一のＥＣＣＥ、第二のＥＣＣＥ、第三のＥＣＣＥ、第四のＥＣＣＥが構成され、
前記第一のＥＣＣＥ、前記第二のＥＣＣＥ、前記第三のＥＣＣＥ、及び前記第四のＥＣＣＥのそれぞれの番号が連続であり、
前記第一のＥＣＣＥと前記第二のＥＣＣＥとに配置された信号の復調に第一のアンテナポート、または第二のアンテナポートに対応する参照信号が用いられ、
前記第三のＥＣＣＥと前記第四のＥＣＣＥとに配置された信号の復調に第三のアンテナポート、または第四のアンテナポートに対応する参照信号が用いられ、
前記集積回路は、前記第一のＥＣＣＥと前記第二のＥＣＣＥとに配置された信号の復調に前記第一のアンテナポートに対応する参照信号を用いるか、前記第二のアンテナポートに対応する参照信号を用いるかをＲＲＣシグナリングに基づき設定し、前記第三のＥＣＣＥと前記第四のＥＣＣＥとに配置された信号の復調に前記第三のアンテナポートに対応する参照信号を用いるか、前記第四のアンテナポートに対応する参照信号を用いるかを前記ＲＲＣシグナリングに基づき設定する機能を前記端末装置に発揮させることを特徴とする請求項１３に記載の集積回路。
【請求項１５】
前記第一のＥＣＣＥと前記第二のＥＣＣＥとに配置された信号の復調に用いられる参照信号のアンテナポートとして前記第一のアンテナポートが関連付けられるＲＲＣシグナリングは、前記第三のＥＣＣＥと前記第四のＥＣＣＥとに配置された信号の復調に用いられる参照信号のアンテナポートとして前記第三のアンテナポートが関連付けられ、
前記第一のＥＣＣＥと前記第二のＥＣＣＥとに配置された信号の復調に用いられる参照信号のアンテナポートとして前記第二のアンテナポートが関連付けられるＲＲＣシグナリングは、前記第三のＥＣＣＥと前記第四のＥＣＣＥとに配置された信号の復調に用いられる参照信号のアンテナポートとして前記第四のアンテナポートが関連付けられることを特徴とする請求項１４に記載の集積回路。
【請求項１６】
ＥＰＤＣＣＨ（Enhanced Physical Downlink Control CHannel）を用いて端末装置と通信を行う基地局装置に実装される集積回路であって、
Ｌｏｃａｌｉｚｅｄ  ＥＰＤＣＣＨを送信する処理において、
ＥＰＤＣＣＨの信号が配置されるＥＣＣＥ（Enhanced Control Channel Element）の番号と、端末装置に通知したＲＲＣ（Radio Resource Control）シグナリングとに基づき、前記ＥＣＣＥに配置される信号の送信に用いるアンテナポートを設定する機能を含む一連の機能を前記基地局装置に発揮させることを特徴とする集積回路。
【請求項１７】
１つのＰＲＢ  ｐａｉｒ（Physical Resource Block pair）を分割したリソースを用いて第一のＥＣＣＥ、第二のＥＣＣＥ、第三のＥＣＣＥ、第四のＥＣＣＥが構成され、
前記第一のＥＣＣＥ、前記第二のＥＣＣＥ、前記第三のＥＣＣＥ、及び前記第四のＥＣＣＥのそれぞれの番号が連続であり、
前記第一のＥＣＣＥと前記第二のＥＣＣＥとに配置される信号の送信に第一のアンテナポート、または第二のアンテナポートが用いられ、
前記第三のＥＣＣＥと前記第四のＥＣＣＥとに配置される信号の送信に第三のアンテナポート、または第四のアンテナポートが用いられ、
前記集積回路は、前記第一のＥＣＣＥと前記第二のＥＣＣＥとに配置される信号の送信に前記第一のアンテナポートを用いるか、前記第二のアンテナポートを用いるかをＲＲＣシグナリングに基づき設定し、前記第三のＥＣＣＥと前記第四のＥＣＣＥとに配置される信号の送信に前記第三のアンテナポートを用いるか、前記第四のアンテナポートを用いるかを前記ＲＲＣシグナリングに基づき設定する機能を前記基地局装置に発揮させることを特徴とする請求項１６に記載の集積回路。
【請求項１８】
前記第一のＥＣＣＥと前記第二のＥＣＣＥとに配置される信号の送信に用いられるアンテナポートとして前記第一のアンテナポートが関連付けられるＲＲＣシグナリングは、前記第三のＥＣＣＥと前記第四のＥＣＣＥとに配置される信号の送信に用いられるアンテナポートとして前記第三のアンテナポートが関連付けられ、
前記第一のＥＣＣＥと前記第二のＥＣＣＥとに配置される信号の送信に用いられるアンテナポートとして前記第二のアンテナポートが関連付けられるＲＲＣシグナリングは、前記第三のＥＣＣＥと前記第四のＥＣＣＥとに配置される信号の送信に用いられるアンテナポートとして前記第四のアンテナポートが関連付けられることを特徴とする請求項１７に記載の集積回路。